(57)【要約】【課題】簡単な構造で温度センサの保持を確実にし、より安価で組み立てやすい空気調和機のセンサ固定装置を提供すること。【解決手段】温度センサの電線を挟持する挟持部７ｃを有する箱状のセンサ固定部７ｄと、開口部面の一辺に連接し開口部面に向けて開口部７ａを塞ぐように折り返されて挟持部７ｃと共に温度センサの電線を保持する第１の電線保持部７ｇ及び開口部面と連結する連結部７ｉから成る蓋部７ｈと、開口部面の他の一辺に連接し温度センサの電線を収納する溝部７ｅを有する本体固定部７ｆとからなり、本体固定部７ｆによって空気調和機本体に取り付けられる構成により、空気調和機のセンサ固定装置７はセンサカバーをも一体成形した簡単な構造で、取り付け時には一体成形されているのでより安価で組み立てやすく、蓋部を折り返すだけの簡単な手順で温度センサの保持を確実にできる。【選択図】図１
2007127364.tif 000002
【特許請求の範囲】
【請求項１】
空気調和機の熱交換器に対向する面に開口部を設け少なくとも前記開口部を設けた面（以下、開口部面と記す）に対向する面に穴及び温度センサの感熱部近傍の電線を挟持する挟持部を設けて構成される箱状のセンサ固定部と、前記開口部面の一辺に連接し前記温度センサの電線を収納する溝部を有する本体固定部と、前記開口部面の他の一辺に連接し前記開口部面に向けて前記開口部を塞ぐように折り返されて前記挟持部と共に前記温度センサの電線を保持する第１の電線保持部及び前記開口部面と連結する連結部を設けて構成される蓋部とから成り、前記本体固定部によって空気調和機本体に取り付けられる空気調和機のセンサ固定装置。
【請求項２】
蓋部に穴を設け、開口部のほぼ全体を覆うように拡大して構成した請求項１に記載の空気調和機のセンサ固定装置。
【請求項３】
溝部に収納された温度センサの電線を前記溝部内に留まるように保持する第２の電線保持部を、蓋部に設けて構成した請求項１または２に記載の空気調和機のセンサ固定装置。
【請求項４】
溝部に収納された温度センサの電線を前記溝部内に留まるように保持する第２の電線保持部を、本体固定部に設けて構成した請求項１または２に記載の空気調和機のセンサ固定装置。
【請求項５】
センサ固定部から溝部を通って前記センサ固定部外へ延出する温度センサの電線を熱交換器から防玄する防玄部を設けて構成した請求項１〜４のいずれか１項に記載の空気調和機のセンサ固定装置。
【請求項６】
防玄部は温度センサが接続する制御基板等の電装品を収納した電装箱まで延出するよう構成した請求項５に記載の空気調和機のセンサ固定装置。
【請求項７】
防玄部を本体固定部に設けて構成した請求項５または６に記載の空気調和機のセンサ固定装置。
【発明の詳細な説明】
【技術分野】
【０００１】
本発明は、空気調和機本体外部の温度を検出する温度センサを空気調和機の熱交換器近辺に取り付ける空気調和機のセンサ固定装置に関するものである。
【背景技術】
【０００２】
従来、この種の空気調和機のセンサ固定装置は、外気の温度を検出する温度センサを、その温度センサが接続する制御基板等の電装品を収納した電装箱と一体にセンサ固定部を設けて、熱交換器の外気吸込側に配設するよう構成されている（例えば、特許文献１参照）。
【０００３】
図８は、特許文献１に記載された従来の空気調和機の一部を省略した斜視図を示すものである。図８に示すように、外箱底板１の上には仕切板２、熱交換器３および送風機４が設置され、また仕切板２の上方には制御基板等の電装品を収納した電装箱５が設けられている。電装箱５の熱交換器３に面する一部は、熱交換器３の外気吸込側に延長されてセンサ固定部５ａを形成し、温度センサ６の感熱部側を保持している。
【０００４】
また、特許文献１にはセンサ固定部を電装箱と着脱可能に取り付けできるよう構成されている場合も開示されている。
【０００５】
図９はセンサ固定部を分割して構成した従来の空気調和機のセンサ固定装置の斜視図、図１０はセンサ固定装置の使用状態を示す一部を省略した断面図を示すものである。図９および図１０に示すように、電装箱５の熱交換器３に面する一部は、熱交換器３の上部まで延長され、熱交換器３の外気吸込側に設けたセンサ固定装置７を取り付けて構成する。センサ固定装置７は、温度センサ６の保護および温度センサ６が直射日光を受けて誤った温度を検知するのを防ぐために設けたセンサカバーと一体に形成されている。
【特許文献１】特開平１１−２４８１９９号公報
【発明の開示】
【発明が解決しようとする課題】
【０００６】
しかしながら、前記従来の構成では、温度センサ６の電線６ａはセンサ固定装置７に沿って熱交換器３と外箱天板８の隙間を通り電装箱５内部の制御基板に接続されるため、配線のたるみや設置後の空気調和機運転による振動での配線のゆるみ等によって、電線６ａが熱交換器３または外箱天板８に接触して傷つくことや、温度センサ６の感熱部６ｂがセンサ固定装置７からはずれて熱交換器３に接触して正確な外気温度を検出できないことがあり、そのためにテープ等を貼り付けて電線６ａを固定しなければならずコストアップの要因になるという課題を有していた。
【０００７】
本発明は、前記従来の課題を解決するもので、簡単な構造で温度センサの保持を確実にし、より安価で組み立てやすい空気調和機のセンサ固定装置を提供することを目的とする。
【課題を解決するための手段】
【０００８】
前記従来の課題を解決するために、本発明の空気調和機のセンサ固定装置は、温度センサの感熱部近傍の電線を挟持する挟持部を設けて構成されるセンサカバーを兼ねる箱状のセンサ固定部と、開口部面の一辺に連接し開口部面に向けて開口部を塞ぐように折り返されて挟持部と共に温度センサの電線を保持する第１の電線保持部及び開口部面と連結する連結部を設けて構成される蓋部と、開口部面の他の一辺に連接し温度センサの電線を収納
する溝部を有する本体固定部とからなり、本体固定部によって空気調和機本体に取り付けられる構成としたものである。
【０００９】
これによって、空気調和機のセンサ固定装置はセンサカバーをも一体成形した簡単な構造で、取り付け時には一体成形されているのでより安価で組み立てやすく、蓋部を折り返すだけの簡単な手順で温度センサの保持を確実にできる。
【発明の効果】
【００１０】
本発明の空気調和機のセンサ固定装置は、簡単な構造で温度センサの保持を確実にするのと同時に、温度センサの保護および温度センサが直射日光を受けて誤った温度を検知するのを防ぐこともでき、より安価で組み立てやすい空気調和機のセンサ固定装置を提供することができ、より品質のよい空気調和機をユーザに安価に提供することができる。
【発明を実施するための最良の形態】
【００１１】
第１の発明は、空気調和機の熱交換器に対向する面に開口部を設け少なくとも開口部面に対向する面に穴及び温度センサの感熱部近傍の電線を挟持する挟持部を設けて構成される箱状のセンサ固定部と、開口部面の一辺に連接し温度センサの電線を収納する溝部を有する本体固定部と、開口部面の他の一辺に連接し開口部面に向けて開口部を塞ぐように折り返されて挟持部と共に温度センサの電線を保持する第１の電線保持部及び開口部面と連結する連結部を設けて構成される蓋部とから成り、本体固定部によって空気調和機本体に取り付けられる構造とすることにより、簡単な構造で温度センサの保持を確実にするのと同時に、温度センサの保護および温度センサが直射日光を受けて誤った温度を検知するのを防ぐこともでき、より安価で組み立てやすく信頼性の高い空気調和機のセンサ固定装置を提供することができる。
【００１２】
第２の発明は、特に、第１の発明の蓋部に穴を設け、開口部のほぼ全体を覆うように拡大して構成することにより、温度センサの保護や直射日光による温度誤検知防止をより確実にすることができる。
【００１３】
第３の発明は、特に、第１または第２の発明の溝部に収納された温度センサの電線を溝部内に留まるように保持する第２の電線保持部を、蓋部に設けて構成することにより、配線のたるみや設置後の空気調和機運転による振動での配線のゆるみ等が生じ難くなり、電線が熱交換器または外箱天板に接触して傷ついたり、温度センサの感熱部がセンサ固定装置からはずれて熱交換器に接触して正確な外気温度を検出できないような不具合を未然に防止することができる。
【００１４】
第４の発明は、特に、第１または第２の発明の溝部に収納された温度センサの電線を溝部内に留まるように保持する第２の電線保持部を、本体固定部に設けて構成することにより、配線のたるみや設置後の空気調和機運転による振動での配線のゆるみ等が生じ難くなり、電線が熱交換器または外箱天板に接触して傷ついたり、温度センサの感熱部がセンサ固定装置からはずれて熱交換器に接触して正確な外気温度を検出できないような不具合を未然に防止することができる。
【００１５】
第５の発明は、特に、第１〜４のいずれか１つの発明のセンサ固定部から溝部を通ってセンサ固定部外へ延出する温度センサの電線を熱交換器から防玄する防玄部を設けて構成することにより、電線が熱交換器に接触して傷ついたり、温度センサの感熱部がセンサ固定装置からはずれて熱交換器に接触して正確な外気温度を検出できないような不具合を未然に防止することができる。
【００１６】
第６の発明は、特に、第５の発明の防玄部を温度センサが接続する制御基板等の電装品
を収納した電装箱まで延出するよう構成することにより、電線が熱交換器に接触して傷ついたり、温度センサの感熱部がセンサ固定装置からはずれて熱交換器に接触して正確な外気温度を検出できないような不具合を未然に防止することができる。
【００１７】
第７の発明は、特に、第５または第６の発明の防玄部を本体固定部に設けて構成することにより、電線が熱交換器に接触して傷ついたり、温度センサの感熱部がセンサ固定装置からはずれて熱交換器に接触して正確な外気温度を検出できないような不具合をより確実に防止することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機のセンサ固定装置の斜視図、図２は、本発明の第１の実施の形態における空気調和機の図１のＡ−Ａ線要部断面図、図３は、本発明の第１の実施の形態における空気調和機のセンサ固定装置の使用状態を示す図１の矢視Ｂ方向からの断面図を示すものである。図４（ａ）（ｂ）は、本発明の他の実施の形態における空気調和機のセンサ固定装置の要部斜視図、図５（ａ）（ｂ）（ｃ）は、本発明の第１及び他の実施の形態における挟持部及び第１の電線保持部の要部斜視図を示すものである。図１、図２、図３、図４および図５において、従来の技術の図８、図９および図１０と同じ構成要素については同じ符号を用い、説明を省略する。
【００２０】
図１、図２、図３において、センサ固定装置７は、箱状のセンサ固定部７ｄと本体固定部７ｆと蓋部７ｈとから成り、本体固定部７ｆによって空気調和機本体に取り付けられる。
【００２１】
センサ固定部７ｄは、空気調和機の熱交換器３に対向する面に開口部７ａを設け、少なくとも開口部７ａを設けた開口部面に対向する面７ｂに穴７ｎ及び温度センサ６の感熱部６ｂ近傍の電線６ａを挟持する挟持部７ｃを設けている。本実施例では、空気調和機の熱交換器３に対向する面全体が開口しているが、開口部７ａは面の一部でもよいし、開口部７ａを複数設けてもよい。また、面７ｂに設けた穴７ｎも本実施例のように複数でもよいし、単数でもよい。また穴形状も四角でなくてもよく、また格子状に形成しなくてもよい。更に、穴７ｎ及び挟持部７ｃは７ｂ以外の面に設けてもよい。
【００２２】
本体固定部７ｆは、開口部面の一辺に連接し温度センサ６の電線６ａを収納する溝部７ｅと、センサ固定部７ｄから溝部７ｅを通ってセンサ固定部７ｄ外へ延出する温度センサ６の電線６ａを熱交換器３から防玄する防玄部７ｍを有する。防玄部７ｍは温度センサ６が接続する制御基板等の電装品を収納した電装箱５まで延出している。
【００２３】
蓋部７ｈは、開口部面の他の一辺に連接し開口部面に向けて開口部７ａを塞ぐように折り返されて、挟持部７ｃと共に温度センサ６の電線６ａを保持する第１の電線保持部７ｇと、開口部面と連結する連結部７ｉと、溝部７ｅに収納された温度センサ６の電線６ａを溝部７ｅ内に留まるように保持する第２の電線保持部７ｋを設けて構成される。
【００２４】
ここで、本実施の形態では、本体固定部７ｆに設けたツメ７ｊを、開口部７ａを塞ぐように折り返された蓋部７ｈの受け穴７ｐに嵌挿して蓋部７ｈを固定するようになっている。
【００２５】
また、本実施の形態では、第２の電線保持部７ｋは平板状で、折り返した時に溝部７ｈ入口近傍に設置されて温度センサ６の電線６ａを上から溝部７ｅ内に留まるように保持す
るが、図４（ａ）に示すように蓋部７ｈが溝部７ｅ上部を覆うようにして温度センサ６の電線６ａを上から溝部７ｅ内に留まるように保持する形態としてもよい。
【００２６】
また、本実施の形態では、温度センサ６の電線６ａを熱交換器３から防玄する防玄部７ｍは本体固定部７ｆの空気調和機本体への取り付け部を延長した形となっているが、本体固定部７ｆとは別の１部品として形成してもよいし、電装箱５から延出した形状であってもよい。
【００２７】
以上のように構成された空気調和機のセンサ固定装置について、以下その動作、作用を説明する。
【００２８】
まず、センサ固定装置は、樹脂等で一体成形でき、組立や取り付けも簡単な構造であり、温度センサは挟持部で抱持されかつ移動可能方向側から第１の電線保持部で押えるように保持されているので温度センサの保持を確実にするのと同時に、温度センサの感熱部近傍は箱状のセンサ固定部で覆われているので温度センサの保護および温度センサが直射日光を受けて誤った温度を検知するのを防ぐこともでき、より安価で組み立てやすく信頼性の高い空気調和機のセンサ固定装置を提供することができる。
【００２９】
また、第２の電線保持部を蓋部に設けて構成することにより、温度センサは第２の電線保持部と溝部入口とによっても保持され、溝部を通ることで、配線のたるみや設置後の空気調和機運転による振動での配線のゆるみ等が生じ難くなり、電線が熱交換器または外箱天板に接触して傷ついたり、温度センサの感熱部がセンサ固定装置からはずれて熱交換器に接触して正確な外気温度を検出できないような不具合を未然に防止することができる。
【００３０】
更に、防玄部を設けて構成することにより、電線が熱交換器に接触して傷ついたり、温度センサの感熱部がセンサ固定装置からはずれて熱交換器に接触して正確な外気温度を検出できないような不具合を未然に防止することができる。
【００３１】
以上のように、本実施の形態においては、空気調和機の熱交換器に対向する面に開口部を設け少なくとも開口部面に対向する面に穴及び温度センサの感熱部近傍の電線を挟持する挟持部を設けて構成される箱状のセンサ固定部と、開口部面の一辺に連接し温度センサの電線を収納する溝部とセンサ固定部から溝部を通ってセンサ固定部外へ延出する温度センサの電線を熱交換器から防玄する防玄部を温度センサが接続する制御基板等の電装品を収納した電装箱まで延出するよう構成して有する本体固定部と、開口部面の他の一辺に連接し開口部面に向けて開口部を塞ぐように折り返されて挟持部と共に温度センサの電線を保持する第１の電線保持部と溝部に収納された温度センサの電線を溝部内に留まるように保持する第２の電線保持部及び開口部面と連結する連結部を設けて構成される蓋部とから成り、本体固定部によって空気調和機本体に取り付けられる構造とすることにより、簡単な構造で温度センサの保持を確実にするのと同時に、温度センサの保護および温度センサが直射日光を受けて誤った温度を検知するのを防ぐこともでき、配線のたるみや設置後の空気調和機運転による振動での配線のゆるみ等が生じ難くなり、電線が熱交換器または外箱天板に接触して傷ついたり温度センサの感熱部がセンサ固定装置からはずれて熱交換器に接触して正確な外気温度を検出できないような不具合を未然に防止することができ、より安価で組み立てやすく信頼性の高い空気調和機のセンサ固定装置を提供することができる。
【００３２】
また、本実施の形態の第２の電線保持部を、本体固定部に設けてもよい。例えば、図４（ｂ）に示すように溝上部に架設するように設け、溝部と第２の電線保持部とによって保持され、溝部を通ることで、配線のたるみや設置後の空気調和機運転による振動での配線のゆるみ等が生じ難くなり、電線が熱交換器または外箱天板に接触して傷ついたり、温度
センサの感熱部がセンサ固定装置からはずれて熱交換器に接触して正確な外気温度を検出できないような不具合を未然に防止することができる。
【００３３】
また、本実施の形態では、挟持部と第１の電線保持部と溝部の関係は図５（ａ）に示すように、挟持部７ｃで挟持された温度センサ６を第１の電線保持部７ｇで押止し、挟持部７ｃと溝部は垂設されているが、図５（ｂ）のように温度センサ６を第１の電線保持部７ｇに沿うように引き回して保持してもよいし、図５（ｃ）のように挟持部７ｃと溝部がほぼ直線状になるように設置してもよい。
【００３４】
（実施の形態２）
図６は、本発明の第２の実施の形態における空気調和機のセンサ固定装置の斜視図、図７は、本発明の第２の実施の形態における空気調和機の図６のＣ−Ｃ線要部断面図を示すものである。図６、図７において、図１、図２、図３、図４、図５、図８、図９および図１０と同じ構成要素については同じ符号を用い、説明を省略する。
【００３５】
図６、図７において、センサ固定装置７は、箱状のセンサ固定部７ｄと本体固定部７ｆと蓋部７ｈとから成り、本体固定部７ｆによって空気調和機本体に取り付けられる。
【００３６】
箱状のセンサ固定部７ｄ及び本体固定部７ｆについては、本発明の第１の実施の形態と同様であるため、説明を省略する。
【００３７】
蓋部７ｈは、開口部７ａのほぼ全体を覆うような大きさで、穴７ｑが設けられている。これにより、温度センサ６全体が全周方向から覆われているので温度センサ６の保護や直射日光による温度誤検知防止をより確実にすることができる。また、蓋部７ｈは、開口部７ａのほぼ全体を覆うようになっているため、温度センサ６はこの蓋部７ｈと溝部７ｅ入口とによって保持されるため、第２の電線保持部を設ける必要がなく、その分、材料費、組立費等が削減でき、より安価な部品とすることができる。
【００３８】
以上のように、本実施の形態においては蓋部に穴を設け、開口部のほぼ全体を覆うように拡大して構成することにより、温度センサの保護や直射日光による温度誤検知防止をより確実にすることができる。
【産業上の利用可能性】
【００３９】
以上のように、本発明にかかる空気調和機のセンサ固定装置は、温度センサの信頼性を損ねることなく、温度センサの固定を安価に容易にすることが可能となるので、除湿機やヒーター等センサを使用する他の機器の用途にも適用できる。
【図面の簡単な説明】
【００４０】
【図１】本発明の実施の形態１における空気調和機のセンサ固定装置の斜視図
【図２】本発明の実施の形態１における空気調和機の図１のＡ−Ａ線要部断面図
【図３】本発明の実施の形態１における空気調和機のセンサ固定装置の使用状態を示す図１の矢視Ｂ方向からの断面図
【図４】（ａ）本発明の他の実施の形態における空気調和機のセンサ固定装置の要部斜視図（ｂ）本発明の別の他の実施の形態における空気調和機のセンサ固定装置の要部斜視図
【図５】（ａ）本発明の実施の形態１における挟持部及び第１の電線保持部の要部斜視図（ｂ）本発明の他の実施の形態における挟持部及び第１の電線保持部の要部斜視図（ｃ）本発明の別の他の実施の形態における挟持部及び第１の電線保持部の要部斜視図
【図６】本発明の実施の形態２における空気調和機のセンサ固定装置の斜視図
【図７】本発明の実施の形態２における空気調和機の図６のＣ−Ｃ線要部断面図
【図８】従来の空気調和機の一部を省略した斜視図
【図９】従来の空気調和機のセンサ固定装置の斜視図
【図１０】従来の空気調和機の要部断面図
【符号の説明】
【００４１】
３  熱交換器
５  電装箱
６  温度センサ
６ａ  電線
６ｂ  感熱部
７  センサ固定装置
７ａ  開口部
７ｂ  開口部７ａを設けた開口部面に対向する面
７ｃ  挟持部
７ｄ  センサ固定部
７ｅ  溝部
７ｆ  本体固定部
７ｇ  第１の電線保持部
７ｈ  蓋部
７ｉ  連結部
７ｊ  ツメ
７ｋ  第２の電線保持部
７ｍ  防玄部
７ｎ、７ｑ  穴
７ｐ  受け穴
８  外箱天板
【図１】
2007127364.tif 000003
【図２】
2007127364.tif 000004
【図３】
2007127364.tif 000005
【図４】
2007127364.tif 000006
【図５】
2007127364.tif 000007
【図６】
2007127364.tif 000008
【図７】
2007127364.tif 000009
【図８】
2007127364.tif 000010
【図９】
2007127364.tif 000011
【図１０】
2007127364.tif 000012